(57)【要約】【課題】操作性をより向上させる。【解決手段】少なくとも一つの操作部に対する操作を受け付ける受付部と、機能の実行状態に応じた報知を報知部に行わせる制御部と、を備え、前記制御部は、前記受付部にて受け付けられた操作に基づいて前記機能の実行状態が予め定められた規定状態となった場合、前記規定状態に応じた態様の報知を前記報知部に行わせる、制御装置が提供される。【選択図】図７
2020166858.tif 000002
【特許請求の範囲】
【請求項１】
少なくとも一つの操作部に対する操作を受け付ける受付部と、
機能の実行状態に応じた報知を報知部に行わせる制御部と、
を備え、
前記制御部は、前記受付部にて受け付けられた操作に基づいて前記機能の実行状態が予め定められた規定状態となった場合、前記規定状態に応じた態様の報知を前記報知部に行わせる、
制御装置。
【請求項２】
前記制御部は、前記受付部にて受け付けられた操作に基づく前記機能の実行状態が前記規定状態を除く他の状態である場合、前記規定状態に応じた態様とは異なる態様の報知を前記報知部に行わせる、
請求項１に記載の制御装置。
【請求項３】
前記規定状態は、前記機能の実行に係るパラメータが上限値と等しくなる第１の状態、および前記パラメータが下限値と等しくなる第２の状態を少なくとも含み、
前記制御部は、前記受付部にて受け付けられた操作に基づいて前記機能の実行状態が前記第１の状態となった場合、前記第１の状態に応じた態様の報知を前記報知部に行わせ、前記受付部にて受け付けられた操作に基づいて前記機能の実行状態が前記第２の状態となった場合、前記第２の状態に応じた態様の報知を前記報知部に行わせる、
請求項１または請求項２のうちいずれかに記載の制御装置。
【請求項４】
前記制御部は、前記機能の実行状態が前記第１の状態であり、かつ前記パラメータの上昇を指示する操作が前記受付部にて受け付けられた場合、前記第１の状態が継続していることを示す態様の報知を前記報知部に行わせ、前記機能の実行状態が前記第２の状態であり、かつ前記パラメータの減少を3指示する操作が前記受付部にて受け付けられた場合、前記第２の状態が継続していることを示す態様の報知を前記報知部に行わせる、
請求項３に記載の制御装置。
【請求項５】
前記規定状態は、前記第１の状態および前記第２の状態とは異なる第３の状態を含み、
前記制御部は、前記受付部にて受け付けられた操作に基づいて前記機能の実行状態が前記第３の状態となった場合、前記３の状態に応じた態様の報知を前記報知部に行わせる、
請求項３または請求項４のうちいずれか一項に記載の制御装置。
【請求項６】
前記第３の状態は、前記パラメータが、予め定められた基準値、上限値と下限値の中間の値である中間値、またはユーザにより設定された設定値のうち少なくともいずれかと等しくなる状態を含む、
請求項５に記載の制御装置。
【請求項７】
前記制御部は、前記受付部にて受け付けられた操作の態様に応じて、前記パラメータの変動量を変化させ、前記変動量に応じた態様の報知を前記報知部に行わせる、
請求項３から請求項６までのうちいずれか一項に記載の制御装置。
【請求項８】
前記制御部は、振動、音、または光のうち少なくとも一つを用いた報知を前記報知部に行わせる、
請求項１から請求項７までのうちいずれか一項に記載の制御装置。
【請求項９】
コンピュータに、
少なくとも一つの操作部に対する操作を受け付ける受付機能と、
機能の実行状態に応じた報知を報知部に行わせる制御機能と、
を実現させ、
前記制御機能に、前記受付機能にて受け付けられた操作に基づいて前記機能の実行状態が予め定められた規定状態となった場合、前記規定状態に応じた態様の報知を前記報知部に行わせる、
プログラム。
【請求項１０】
少なくとも一つの操作部と、
前記操作部に対する操作を受け付ける受付部と、
操作を行うユーザに対する報知を行う報知部と、
機能の実行状態に応じた報知を前記報知部に行わせる制御部と、
を備え、
前記制御部は、前記受付部にて受け付けられた操作に基づいて前記機能の実行状態が予め定められた規定状態となった場合、前記規定状態に応じた態様の報知を前記報知部に行わせる、
システム。
【発明の詳細な説明】
【技術分野】
【０００１】
本発明は、制御装置、プログラム、およびシステムに関する。
【背景技術】
【０００２】
近年、ＧＵＩ（Ｇｒａｐｈｉｃａｌ  Ｕｓｅｒ  Ｉｎｔｅｒｆａｃｅ）を採用するシステムが多く開発されている。例えば、特許文献１には、タッチパッドを操作することでモニタに表示されるコマンド入力オプションに対応する機能を実行することが可能なシステムが開示されている。
【０００３】
また、特許文献１に開示されるシステムでは、タッチパッド上に上記コマンド入力オプションに対応する入力フィールドが配置され、当該入力フィールドにユーザが触れた場合、操作を行うユーザに報知を行うと共に、上記コマンド入力オプションに対応する機能を実行する。係る制御によれば、ユーザが常時モニタを注視せずとも所望する操作を行うことが可能となる。
【先行技術文献】
【特許文献】
【０００４】
【特許文献１】特開２００３−１０８３１１号公報
【発明の概要】
【発明が解決しようとする課題】
【０００５】
しかし、上記のようなシステムにおいて、操作により変化する機能の実行状態に依らず一様の報知を行う場合、ユーザが機能の実行状態を把握することができずに、操作性が低下する可能性がある。
【０００６】
そこで、本発明は、上記問題に鑑みてなされたものであり、本発明の目的とするところは、操作性をより向上させることが可能な仕組みを提供することにある。
【課題を解決するための手段】
【０００７】
上記課題を解決するために、本発明のある観点によれば、少なくとも一つの操作部に対する操作を受け付ける受付部と、機能の実行状態に応じた報知を報知部に行わせる制御部と、を備え、前記制御部は、前記受付部にて受け付けられた操作に基づいて前記機能の実行状態が予め定められた規定状態となった場合、前記規定状態に応じた態様の報知を前記報知部に行わせる、制御装置が提供される。
【０００８】
また、上記課題を解決するために、本発明の別の観点によれば、コンピュータに、少なくとも一つの操作部に対する操作を受け付ける受付機能と、機能の実行状態に応じた報知を報知部に行わせる制御機能と、を実現させ、前記制御機能に、前記受付機能にて受け付けられた操作に基づいて前記機能の実行状態が予め定められた規定状態となった場合、前記規定状態に応じた態様の報知を前記報知部に行わせる、プログラムが提供される。
【０００９】
また、上記課題を解決するために、本発明の別の観点によれば、少なくとも一つの操作部と、前記操作部に対する操作を受け付ける受付部と、操作を行うユーザに対する報知を行う報知部と、機能の実行状態に応じた報知を前記報知部に行わせる制御部と、を備え、前記制御部は、前記受付部にて受け付けられた操作に基づいて前記機能の実行状態が予め定められた規定状態となった場合、前記規定状態に応じた態様の報知を前記報知部に行わせる、システムが提供される。
【発明の効果】
【００１０】
本発明によれば、操作性をより向上させることができる。
【図面の簡単な説明】
【００１１】
【図１】本発明の一実施形態に係るシステム１の機能構成例を示す図である。
【図２】同実施形態に係る第１の状態に応じた報知制御の一例を示す図である。
【図３】同実施形態に係る第２の状態に応じた報知制御の一例を示す図である。
【図４】同実施形態に係る第３の状態に応じた報知制御の一例を示す図である。
【図５Ａ】同実施形態に係る操作部１１０の一例を示す図である。
【図５Ｂ】同実施形態に係る操作部１１０の一例を示す図である。
【図５Ｃ】同実施形態に係る操作部１１０の一例を示す図である。
【図６】同実施形態に係る操作の態様に応じたパラメータ変動量と報知の制御について説明するための図である。
【図７】同実施形態に係る制御装置４０の動作の流れの一例を示すフローチャートである。
【発明を実施するための形態】
【００１２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１３】
＜実施形態＞
＜＜構成例＞＞
まず、本発明の一実施形態に係るシステム１の構成例について説明する。図１は、本実施形態に係るシステム１の機能構成例を示す図である。図１に示すように、本実施形態に係るシステム１は、例えば、操作装置１０、表示装置２０、報知装置３０、および制御装置４０を備える。
【００１４】
（操作装置１０）
本実施形態に係る操作装置１０は、ユーザが操作を実行する対象となる装置である。本実施形態に係るシステム１は、少なくとも１つ以上の操作装置１０を備えてよい。本実施形態に係る操作装置１０は、例えば、タッチパッド、トラックボール、マウス、ホイール、スライドスイッチ、ダイヤル等であってもよい。本実施形態に係る操作装置１０は、操作部１１０を備える。
【００１５】
本実施形態に係る操作部１１０は、ユーザの操作を検出する機能を有する。このために、操作部１１０は、操作装置１０の態様に応じた各種の検出機構を備えてよい。例えば、操作装置１０がタッチパッドである場合、操作部１１０は、ユーザの操作に伴い変化する圧力を電気信号に変化する感圧センサや、ユーザの操作に伴い変化する静電容量の変化を電気信号に変換する静電容量センサを備えてもよい。また、操作部１１０は、ユーザによるプッシュ操作を検出するためのスイッチを備えてもよい。操作部１１０は、検出したユーザの操作に関する信号を制御装置４０に送信する。
【００１６】
（表示装置２０）
本実施形態に係る表示装置２０は、画像等の視覚情報を表示する装置である。本実施形態に係る表示装置２０は、各種のディスプレイ装置であってもよい。本実施形態に係る表示装置２０は、表示部２１０を備える。
【００１７】
本実施形態に係る表示部２１０は、制御装置４０から入力される信号に基づいて画像の表示を行ってもよい。
【００１８】
（報知装置３０）
本実施形態に係る報知装置３０は、制御装置４０による制御に従ってユーザに各種の報知を行う装置である。本実施形態に係る報知装置３０は、報知部３１０を備える。
【００１９】
本実施形態に係る報知部３１０は、制御装置４０から入力される制御信号に基づく報知を行う。このために、報知部３１０は、報知の態様に応じた各種の出力機構を備える。例えば、ユーザの触覚を介した報知を実行する場合、報知部３１０は、振動刺激、電気刺激、圧迫刺激、温冷刺激等を発生させることが可能な各種のアクチュエータを備えてもよい。例えば、振動刺激を用いた報知を行う場合、報知部３１０は、偏心モータ（ＥＲＭ：Ｅｃｃｅｎｔｒｉｃ  Ｒｏｔａｔｉｎｇ  Ｍａｓｓ）、リニア・バイブレータ（ＬＲＡ：Ｌｉｎｅａｒ  Ｒｅｓｏｎａｎｔ  Ａｃｔｕａｔｏｒ）、またはピエゾ（圧電）素子、ボイスコイルモータ等を備えてもよい。また、報知部３１０は、同種または別種の複数のアクチュエータを備えてもよい。
【００２０】
また、例えば、ユーザの聴覚を介した報知を実行する場合、報知部３１０は、スピーカやアンプを備えてもよい。また、例えば、ユーザの視覚を介した報知を実行する場合、報知部３１０は、光を発する各種の照明を備えてもよい。
【００２１】
なお、報知部３１０による報知は、複数の異なる種別の刺激を組み合わせたものであってもよい。例えば、報知部３１０は、振動と音とを用いた報知を実行してもよい。また、例えば、報知部３１０は、電気刺激と光とを用いた報知を実行してもよい。本実施形態に係る報知部３１０は、制御装置４０による制御に基づいて、振動、音、または光のうち少なくとも一つを用いた報知を行う。
【００２２】
（制御装置４０）
本実施形態に係る制御装置４０は、操作装置１０に対するユーザの操作を受け付け、当該操作に応じた制御を実行する装置である。本実施形態に係る制御装置４０は、受付部４１０、制御部４２０、および記憶部４３０を備える。
【００２３】
本実施形態に係る受付部４１０は、少なくとも一つの操作部１１０に対する操作を受け付ける機能を有する。例えば、受付部４１０は、検出したユーザの操作に基づいて操作部１１０が生成する電気信号を受信し、当該電気信号に応じた操作を受け付ける。
【００２４】
本実施形態に係る制御部４２０は、受付部４１０により受け付けられた操作の内容に応じた各種の制御を行う。本実施形態に係る制御部４２０は、例えば、受付部４１０にて受け付けられた操作に基づいて、所定の機能の実行状態を変化させてもよい。
【００２５】
また、本実施形態に係る制御部４２０は、上記機能の実行状態に応じた報知を報知部３１０に行わせてもよい。
【００２６】
制御部４２０の機能は、例えば、ＣＰＵ（Ｃｅｎｔｒａｌ  Ｐｒｏｃｅｓｓｉｎｇ  Ｕｎｉｔ）等のプロセッサやＲＡＭ（Ｒａｎｄｏｍ  Ａｃｃｅｓｓ  Ｍｅｍｏｒｙ）等の協働により実現される。本実施形態に係る制御部４２０による報知制御については別途詳細に説明する。
【００２７】
本実施形態に係る記憶部４３０は、制御装置４０の動作に係る各種の情報を記憶する。記憶部４３０は、例えば、制御部４２０が報知処理を実行するためのプログラム等を記憶する。
【００２８】
以上、本実施形態に係るシステム１の機能構成例について説明した。なお、図１を用いた機能構成はあくまで一例であり、本実施形態に係るシステム１の機能構成は係る例に限定されない。例えば、操作装置１０及び報知装置３０は、一体の装置として形成されてもよい。この場合、例えば振動刺激を用いた報知を実行することにより、操作装置１０に対するユーザの操作に対するフィードバックとしての報知を実現することができる。本実施形態に係るシステム１の機能構成は、仕様や運用に応じて柔軟に変形可能である。
【００２９】
＜＜詳細＞＞
次に、本実施形態に係るシステム１が有する機能について詳細に説明する。なお、以下においては、本実施形態に係るシステム１が車両等の移動体の車室に適用される場合を主な例として想定する。例えば、操作部１１０は、ステアリングのスポークに少なくとも１つ以上設けられてもよい。また、報知部３１０は、操作部１１０と一体に形成され、振動刺激を用いた報知を行うものであってもよい。また、表示部２１０は、インストルメントパネル（の一部）として設けられてもよいし、センターコンソールに設けられてもよい。
【００３０】
ここで、ユーザが操作部１１０に対し操作を行い、システム１が有する機能の実行状態を変化させる場合を想定する。上記機能は、例えば、実行状態に関し複数の段階を有するものであってもよい。このような機能の一例としては、例えば、空調の温度や風量を調整する機能や、オーディオの音量を調整する機能などが挙げられる。
【００３１】
上記のような操作を行う場合において、例えば、操作により変化する機能の実行状態が表示部２１０に示されない場合、ユーザは、自身の操作により機能の実行状態が所望の実行状態となったか否かを判断することが困難である。また、機能の実行状態が表示部２１０に示される場合であっても、ユーザが表示部２１０を注視していない場合、機能の実行状態が所望の実行状態となったか否かを判断することが困難である。
【００３２】
本発明に係る技術思想は上記の点に着目して発想されたものであり、操作性をより向上させるものである。このために、本発明の一実施形態に係る制御部４２０は、受付部４１０にて受け付けられた操作に基づいて機能の実行状態が予め定められた規定状態となった場合、当該規定状態に応じた態様の報知を報知部３１０に行わせる、ことを特徴の一つとする。
【００３３】
本実施形態に係る制御部４２０による上記の制御によれば、自身の操作により機能の実行状態が規定状態となったことを、ユーザが直感的に把握することが可能となる。
【００３４】
また、本実施形態に係る制御部４２０は、受付部４１０にて受け付けられた操作に基づいて機能の実行状態が規定状態を除く他の状態となった場合、規定状態に応じた態様と異なる態様の報知（以下、通常報知、とも称する）を報知部３１０に行わせてもよい。
【００３５】
本実施形態に係る制御部４２０による上記の制御によれば、自身の操作により機能の実行状態が規定状態と上記他の状態との間で遷移したことをユーザがさらに明確に把握することが可能となる。
【００３６】
以下、具体例を挙げて詳細に説明する。本実施形態に係る規定状態には、例えば、機能の実行に係るパラメータが上限値と等しくなる第１の状態が含まれてもよい。ここで、上記のパラメータとは、上述した複数の段階を定義する値であってもよい。
【００３７】
図２は、本実施形態に係る第１の状態に応じた報知制御の一例を示す図である。なお、図２においては、ユーザの操作に応じて変化する機能の実行状態の一例として空調の風量を挙げている。また、図２の上段には、表示部２１０の表示領域ＤＡに表示される風量の強度を示すインジケータＩＮが、図２の下段には、当該風量の強度の変化に応じて制御部４２０が報知部３１０に出力させる報知が概略的に示されている。
【００３８】
また、図２においては、風量の強度に係るパラメータが下限値である１から上限値である５まで１ずつ変化する場合を例示している。例えば、図中左から１列目に示す一例の場合、インジケータＩＮは、５つの矩形のうち、下方の３つが強調されて表示されている。これは、上記パラメータが「３」であることを示している。
【００３９】
この状態から、ユーザが操作部１１０を操作し、当該操作に基づいて上記パラメータが「４」に変化すると、制御部４２０は、空調の風量をパラメータ「４」に対応した強度に変更するとともに、インジケータＩＮを、図中左から２列目に示すように、５つの矩形のうち下方の４つが強調される状態に変化させる。
【００４０】
また、この際、本実施形態に係る制御部４２０は、風量の強度が規定状態（第１の状態）とは異なる他の状態であることに基づいて、当該他の状態に応じた態様の報知である通常報知Ｉ０を報知部３１０に行わせる。
【００４１】
この状態から、ユーザが操作部１１０をさらに操作し、当該操作に基づいて上記パラメータが上限値である「５」に変化すると、制御部４２０は、空調の風量をパラメータ「５」に対応した強度に変更するとともに、インジケータＩＮを、図中左から３列目に示すように、５つの矩形のすべてが強調される状態に変化させる。
【００４２】
また、この際、本実施形態に係る制御部４２０は、パラメータが上限値と等しくなったこと、すなわち風量の強度が第１の状態となったことに基づいて、当該第１の状態に応じた態様の報知である第１の報知Ｉ１を報知部３１０に行わせる。第１の報知Ｉ１は、通常報知Ｉ０とは異なる態様の報知であってよい。
【００４３】
本実施形態に係る制御部４２０による上記の制御によれば、自身の操作により機能の実行に係るパラメータが上限値に達したこと、すなわち機能の実行状態の段階が最大となったことを、ユーザが直感的に把握することができる。
【００４４】
また、本実施形態に係る制御部４２０は、機能の実行状態が第１の状態であり、かつ上記パラメータの上昇を指示する操作が受付部４１０にて受け付けられた場合、第１の状態が継続していることを示す態様の報知（以下、第１の状態に係る継続報知、とも称する）を報知部３１０に行わせてもよい。
【００４５】
例えば、図２に示す左から３列目の状態から、ユーザがさらに風量を上げる操作を行った場合、制御部４２０は、左から４列目に示すように、通常報知Ｉ０および第１の報知Ｉ１とは異なる、第１の状態に係る継続報知Ｉ１１を報知部３１０に行わせる。
【００４６】
本実施形態に係る制御部４２０による上記の制御によれば、パラメータが既に上限値に達していることをユーザに知覚させることでき、当該ユーザが不必要な操作を継続して実行することを防止することができる。
【００４７】
以上、本実施形態に係る第１の状態に応じた報知制御について一例を示した。一方、本実施形態に係る規定状態は、第１の状態に限定されない。本実施形態に係る規定状態には、機能の実行に係るパラメータが下限値と等しくなる第２の状態が含まれてもよい。
【００４８】
図３は、本実施形態に係る第２の状態に応じた報知制御の一例を示す図である。なお、図３においては、ユーザの操作に応じて変化する機能の実行状態の一例として表示領域ＤＡに表示されるページの遷移を挙げている。図３の上段には、表示部２１０の表示領域ＤＡに表示されるページが、図３の下段には、表示されるページの変化に応じて制御部４２０が報知部３１０に出力させる報知が概略的に示されている。
【００４９】
例えば、図中左から１列目に示す一例の場合、表示領域ＤＡには、合計５つのページのうち３ページ目が表示されている。なお、図３においては、機能の実行に係るパラメータが、ページ数に該当するものとする。
【００５０】
この状態から、ユーザが操作部１１０を操作し、当該操作に基づいて上記パラメータが「２」に変化すると、制御部４２０は、図中左から２列目に示すように、表示領域ＤＡに２ページ目が表示されるように制御する。
【００５１】
また、この際、本実施形態に係る制御部４２０は、表示領域ＤＡに表示される２ページ目が規定状態（第２の状態）とは異なる他の状態に対応するページであることに基づいて、当該他の状態に応じた態様の報知である通常報知Ｉ０を報知部３１０に行わせる。
【００５２】
この状態から、ユーザが操作部１１０をさらに操作し、当該操作に基づいて上記パラメータが下限値である「１」に変化すると、制御部４２０は、図中左から３列目に示すように、表示領域ＤＡに１ページ目が表示されるように制御する。
【００５３】
また、この際、本実施形態に係る制御部４２０は、パラメータが下限値と等しくなったこと、すなわち表示領域ＤＡに表示されるページが第２の状態となったことに基づいて、当該第２の状態に応じた態様の報知である第２の報知Ｉ２を報知部３１０に行わせる。第２の報知Ｉ２は、通常報知Ｉ０とは異なる態様の報知であってよい。
【００５４】
本実施形態に係る制御部４２０による上記の制御によれば、自身の操作により機能の実行に係るパラメータが下限値に達したこと、すなわち機能の実行状態の段階が最小となったことを、ユーザが直感的に把握することができる。
【００５５】
また、本実施形態に係る制御部４２０は、機能の実行状態が第２の状態であり、かつ上記パラメータの減少を指示する操作が受付部４１０にて受け付けられた場合、第２の状態が継続していることを示す態様の報知（以下、第２の状態に係る継続報知、とも称する）を報知部３１０に行わせてもよい。
【００５６】
例えば、図３に示す左から３列目の状態から、ユーザがページをさらに戻す操作を行った場合、制御部４２０は、左から４列目に示すように、通常報知Ｉ０および第２の報知Ｉ２とは異なる、第２の状態に係る継続報知Ｉ２２を報知部３１０に行わせる。
【００５７】
本実施形態に係る制御部４２０による上記の制御によれば、パラメータが既に下限値に達していることをユーザに知覚させることでき、当該ユーザが不必要な操作を継続して実行することを防止することができる。
【００５８】
次に、本実施形態に係る第３の状態について説明する。本実施形態に係る規定状態には、上記で説明した第１の状態および第２の状態とは異なる第３の状態が含まれてもよい。本実施形態に係る第３の状態は、例えば、機能の実行に係るパラメータが、例えば、予め定められた基準値（デフォルト値）、上限値と下限値の中間の値である中間値、またはユーザにより任意に設定された設定値などと等しくなる状態であってもよい。
【００５９】
図４は、本実施形態に係る第３の状態に応じた報知制御の一例を示す図である。なお、図４においては、ユーザの操作に応じて変化する機能の実行状態の一例として図２に示した一例と同様に空調の風量を挙げている。また、図４では、機能の実行に係るパラメータが上限値「５」と下限値「１」の中間の値である中間値「３」と等しくなった状態を第３の状態とする。
【００６０】
例えば、図中左から１列目に示す状態からユーザが操作部１１０を操作し、当該操作に基づいて上記パラメータが「４」に変化すると、制御部４２０は、空調の風量をパラメータ「４」に対応した強度に変更するとともに、インジケータＩＮを、図中左から２列目に示すように、５つの矩形のうち下方の４つが強調される状態に変化させる。
【００６１】
また、この際、本実施形態に係る制御部４２０は、風量の強度が規定状態（第３の状態）とは異なる他の状態であることに基づいて、当該他の状態に応じた態様の報知である通常報知Ｉ０を報知部３１０に行わせる。
【００６２】
この状態から、ユーザが操作部１１０をさらに操作し、当該操作に基づいて上記パラメータが中間値である「３」に変化すると、制御部４２０は、空調の風量をパラメータ「３」に対応した強度に変更するとともに、インジケータＩＮを、図中左から３列目に示すように、５つの矩形のうち下方の３つが強調される状態に変化させる。
【００６３】
また、この際、本実施形態に係る制御部４２０は、パラメータが中間値と等しくなったこと、すなわち風量の強度が第３の状態となったことに基づいて、当該第３の状態に応じた態様の報知である第３の報知Ｉ３を報知部３１０に行わせる。第３の報知Ｉ３は、通常報知Ｉ０とは異なる態様の報知であってよい。
【００６４】
本実施形態に係る制御部４２０による上記の制御によれば、自身の操作により機能の実行に係るパラメータが、中間値などの規定値に達したこと、すなわち機能の実行状態の段階が規定の段階となったことを、ユーザが直感的に把握することができる。
【００６５】
なお、図４に示す左から３列目の状態から、ユーザがさらに風量を下げる操作を行った場合、制御部４２０は、風量の強度が再び他の状態となったことに基づいて、左から４列目に示すように、通常報知Ｉ０を報知部３１０に行わせてよい。
【００６６】
以上、本実施形態に係る第１〜第３の状態と、各状態に応じた報知制御について具体例を挙げて説明した。上述したように、本実施形態に係る制御部４２０によれば、各状態を他の状態とは異なる態様で報知することで、ユーザに機能の実行状態を直感的に把握させることが可能となる。
【００６７】
なお、制御部４２０は、報知の強度や、時間、回数などを制御することで、上述したような各状態に応じた態様の報知を報知部３１０に行わせることができる。例えば、報知部３１０に振動刺激を用いた報知を行わせる場合、制御部４２０は、振動に係る振幅や周波数、振動時間、振動回数など制御することで、各状態でそれぞれ異なる態様の報知を実現することが可能である。
【００６８】
次に、本実施形態に係る操作部１１０の形態について、具体例を挙げて説明する。本実施形態に係る操作部１１０は、制御の対象となる機能の特性等に応じて幅広い形態をとり得る。図５Ａ〜図５Ｃは、それぞれ本実施形態に係る操作部１１０の一例を示す図である。
【００６９】
例えば、図５Ａに示すように、本実施形態に係る操作部１１０は、ユーザが指Ｆなどを用いて操作するタッチパッドとして具備されてもよい。この場合、ユーザは、例えば、上下方向や左右方向に指Ｆをスライドさせることで、機能の実行に係るパラメータを上下させることができてもよい。
【００７０】
また、例えば、図５Ｂに示すように、本実施形態に係る操作部１１０は、時計周りおよび反時計回りに回転が可能なダイヤルとして具備されてもよい。この場合、ユーザは、ダイヤルを回転させることで、機能の実行に係るパラメータを上下させることができてもよい。
【００７１】
また、例えば、図５Ｃに示すように、本実施形態に係る操作部１１０は、２つのボタン１１２Ａおよび１１２Ｂを備えてもよい。この場合、ユーザは、例えば、ボタン１１２Ａを押下することで、機能の実行に係るパラメータを上昇させ、ボタン１１２Ｂを押下することで、同パラメータを減少させることができてもよい。
【００７２】
以上、本実施形態に係る操作部１１０について、具体例を示した。本実施形態に係る制御部４２０は、上記で説明したような操作に基づいて機能の実行状態や当該実行状態に応じた報知を制御することが可能である。
【００７３】
また、本実施形態に係る制御部４２０は、受付部４１０にて受け付けられた操作の態様に応じて、機能の実行に係るパラメータの変動量を変化させもよい。また、この際、本実施形態に係る制御部４２０は、当該変動量に応じた態様の報知を報知部３１０に行わせてもよい。
【００７４】
図６は、本実施形態に係る操作の態様に応じたパラメータ変動量と報知の制御について説明するための図である。図６の上段には、第１の操作態様による操作が行われた場合の制御の一例が、図６の下段には、第１の操作態様とは異なる第２の操作態様による操作が行われた場合の制御の一例が示されている。なお、図６では、機能の実行に係るパラメータの一例として、空調の温度を挙げている。
【００７５】
例えば、図中上段に示すように、第１の操作態様による操作が行われた場合、本実施形態に制御部４２０は、温度が１度ずつ変化するようにパラメータの変動量を設定してもよい。また、この場合、制御部４２０は、設定した上記の変動量に応じた態様の報知Ｉ０を報知部３１０に行わせてもよい。
【００７６】
一方、図中下段に示すように、第２の操作態様による操作が行われた場合、本実施形態に制御部４２０は、温度が２度ずつ変化するようにパラメータの変動量を設定してもよい。また、この場合、制御部４２０は、設定した上記の変動量に応じた態様の報知Ｉ４を報知部３１０に行わせてもよい。
【００７７】
本実施形態に係る制御部４２０による上記のような制御によれば、操作態様に応じて変化するパラメータの変動量をユーザが直感的に把握することができ、操作性をより向上させることが可能となる。
【００７８】
なお、上記の第１の操作態様および第２の操作態様は、操作部１１０の特性に応じて設定されてよい。例えば、操作部１１０が図５Ａに示したようなタッチパッドとして具備される場合、第１の操作態様は１本の指Ｆによる操作が行われる態様であってもよいし、第１の操作態様は２本の指Ｆによる操作が行われる態様であってもよい。
【００７９】
また、例えば、操作部１１０が図５Ｂに示したようなダイヤルとして具備される場合、第１の操作態様は閾値未満の回転速度で操作部１１０が操作される態様であってもよいし、第２の操作態様は閾値以上の回転速度で操作部１１０が操作される態様であってもよい。
【００８０】
また、例えば、操作部１１０が図５Ｃで示したようなボタン１１２を備える場合、第１の操作態様はボタン１１２が押下される時間が閾値未満である態様であってもよいし、第２の操作態様はボタン１１２が押下される時間が閾値以上である態様であってもよい。
【００８１】
以上説明したように、本実施形態に係る制御方法は、操作部１１０の形態に依らず広く適用可能である。
【００８２】
また、本実施形態に係る操作は、上述したような、風量や温度の調整や、ページの遷移に関するものに限定されない。
【００８３】
本実施形態に係る操作の別の例としては、例えば、表示領域ＤＡに表示される画像を拡大する際のピンチアウト操作や、画像を縮小する際のピンチイン操作が挙げられる。この場合、第１の状態は、例えば、パラメータである拡大率が最大となる状態であってもよいし、第２の状態は、例えば、パラメータである縮小率が最小となる状態であってもよい。
【００８４】
また、本実施形態に係る操作は、文字入力に関する操作であってもよい。例えば、操作部１１０に対する操作に応じて、入力される文字が、「あ」、「い」、「う」、「え」、「お」の順に変化するＧＵＩを想定する。この場合、第１の状態は、入力される文字として「あ」が選択された状態であってもよいし、第２の状態は、入力される文字として「お」が選択された状態であってもよい。
【００８５】
本実施形態に係る制御方法は、様々な操作部１１０を具備する様々な操作入力システムに幅広く適用することが可能である。
【００８６】
＜制御の流れ＞
次に、本実施形態に係る制御装置４０による制御の流れについて詳細に説明する。図７は、本実施形態に係る制御装置４０の動作の流れの一例を示すフローチャートである。
【００８７】
図７に示すように、まず、受付部４１０が操作部１１０に対して行われたユーザの操作を受け付ける（Ｓ１０１）。受付部４１０は、操作部１１０から入力された信号に基づいて操作の受け付けを行い、当該操作に係る情報を制御部４２０に入力する。
【００８８】
次に、制御部４２０が、ステップＳ１０１において受付部４１０が受け付けた操作基づいて、所定の機能の実行状態を制御する（Ｓ１０３）。また、この際、制御部４２０は、操作態様に応じたパラメータの変動量と、当該変動量に応じた報知態様を設定してもよい。
【００８９】
続いて、制御部４２０は、ステップＳ１０３における制御により変化した機能の実行状態に応じた報知制御を行う。
【００９０】
例えば、Ｓ１０３における制御の後に機能の実行状態が第１の状態である場合、制御部４２０は、Ｓ１０３における制御の前から第１の状態が継続しているか否かを判定する（Ｓ１０５）。
【００９１】
ここで、Ｓ１０３における制御の前から第１の状態が継続していない場合（Ｓ１０５：Ｎｏ）、すなわち、Ｓ１０３における制御により機能の実行状態が第１の状態に遷移した場合、制御部４２０は、第１の状態に応じた態様の第１の報知を報知部３１０に行わせる（Ｓ１０７）。
【００９２】
一方、Ｓ１０３における制御の前から第１の状態が継続している場合、（Ｓ１０５：Ｙｅｓ）、制御部４２０は、第１の報知に係る継続報知を報知部３１０に行わせる（Ｓ１０９）。
【００９３】
また、Ｓ１０３における制御の後に機能の実行状態が第２の状態である場合、制御部４２０は、Ｓ１０３における制御の前から第２の状態が継続しているか否かを判定する（Ｓ１１１）。
【００９４】
ここで、Ｓ１０３における制御の前から第２の状態が継続していない場合（Ｓ１１１：Ｎｏ）、すなわち、Ｓ１０３における制御により機能の実行状態が第２の状態に遷移した場合、制御部４２０は、第２の状態に応じた態様の第２の報知を報知部３１０に行わせる（Ｓ１１３）。
【００９５】
一方、Ｓ１０３における制御の前から第２の状態が継続している場合、（Ｓ１１１：Ｙｅｓ）、制御部４２０は、第２の報知に係る継続報知を報知部３１０に行わせる（Ｓ１１５）。
【００９６】
また、Ｓ１０３における制御の後に機能の実行状態が第３の状態である場合、制御部４２０は、第３の状態に応じた態様の第３の報知を報知部３１０に行わせる（Ｓ１１７）。
【００９７】
また、Ｓ１０３における制御の後に機能の実行状態が第１〜第３の状態を除く他の状態である場合、制御部４２０は、当該他の状態に応じた態様の通常報知を報知部３１０に行わせる（Ｓ１１９）。
【００９８】
ステップＳ１０７、Ｓ１０９、Ｓ１１３、Ｓ１１５、Ｓ１１７、Ｓ１１９におけるいずれかの報知制御の後、制御装置４０は、ステップＳ１０１に復帰し、機能の停止が命じられるまで、以降の処理を繰り返し実行してもよい。
【００９９】
＜補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１００】
また、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記録媒体（非一時的な媒体：ｎｏｎ−ｔｒａｎｓｉｔｏｒｙ  ｍｅｄｉａ）に予め格納される。そして、各プログラムは、例えば、コンピュータによる実行時にＲＡＭに読み込まれ、ＣＰＵなどのプロセッサにより実行される。上記記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【符号の説明】
【０１０１】
１：システム、１０：操作装置、１１０：操作部、２０：表示装置、２１０：表示部、３０：報知装置、３１０：報知部、４０：制御装置、４１０：受付部、４２０：制御部、４３０：記憶部
【図１】
2020166858.tif 000003
【図２】
2020166858.tif 000004
【図３】
2020166858.tif 000005
【図４】
2020166858.tif 000006
【図５Ａ】
2020166858.tif 000007
【図５Ｂ】
2020166858.tif 000008
【図５Ｃ】
2020166858.tif 000009
【図６】
2020166858.tif 000010
【図７】
2020166858.tif 000011